(57)【要約】【課題】排水性、乾燥性及び滑り止め効果を確保しつつ、床パネルの清掃性を向上させる。【解決手段】床パネル１０は、ユニットルームの一部として組み込まれる床パネルであって、互いに交差せずに各々蛇行して延在する複数の尾根部２６と、互いに隣り合う尾根部２６の間に、かつ尾根部２６よりも低い位置に形成され、互いに交差せずに尾根部２６の延在方向に延在する谷部２８と、尾根部２６から谷部２８に向かう斜面３２，３３と、を有する。【選択図】図３
2017166306.tif 000002
【特許請求の範囲】
【請求項１】
ユニットルームの一部として組み込まれる床パネルであって、
互いに交差せずに各々蛇行して延在する複数の尾根部と、
互いに隣り合う前記尾根部の間に、かつ前記尾根部よりも低い位置に形成され、互いに交差せずに前記尾根部の延在方向に延在する谷部と、
前記尾根部から前記谷部に向かう斜面と、
を有する床パネル。
【請求項２】
前記谷部が蛇行している請求項１に記載の床パネル。
【請求項３】
前記谷部が直線状に形成されている請求項１に記載の床パネル。
【請求項４】
前記谷部に沿って、溝が形成されている請求項１〜請求項３の何れか１項に記載の床パネル。
【請求項５】
前記溝には、部分的に幅が狭められた絞り部が設けられている請求項４に記載の床パネル。
【請求項６】
少なくとも１つの前記谷部が、前記ユニットルームの排水部まで延在している請求項１〜請求項５の何れか１項に記載の床パネル。
【請求項７】
前記ユニットルームの排水部まで延在する直線溝を有し、
少なくとも１つの前記谷部が、前記直線溝まで延在している請求項１〜請求項６の何れか１項に記載の床パネル。
【発明の詳細な説明】
【技術分野】
【０００１】
本発明は、ユニットルームの一部として組み込まれる床パネルに関する。
【背景技術】
【０００２】
床パネルの表面が親水部分と疎水部分とに区画されており、親水部分が格子状に形成された構造が開示されている（特許文献１参照）。
【先行技術文献】
【特許文献】
【０００３】
【特許文献１】特開２００４−６０３０４号公報
【発明の概要】
【発明が解決しようとする課題】
【０００４】
床パネルは、使用者が足を滑らせることを防ぐために、石鹸水等が湯水に混じった場合でも滑り難い構造であることが好ましい。
【０００５】
また、上記した従来例では、親水部分が格子状であるため、縦横に延びる親水部分が交差しており、親水部分同士の交差点が存在している。このような交差点が存在すると、縦方向に延びる親水部分の清掃時には、横方向に延びる横に水垢等の汚れが残り易い。また、横方向に延びる親水部分の清掃時には、縦方向に延びる親水部分に水垢等の汚れが残り易い。このように、親水部分同士の交差点が存在すると、床パネルの清掃時に水垢等の汚れが残りやすくなると考えられる。
【０００６】
本発明は、排水性、乾燥性及び滑り止め効果を確保しつつ、床パネルの清掃性を向上させることを目的とする。
【課題を解決するための手段】
【０００７】
請求項１に係る床パネルは、ユニットルームの一部として組み込まれる床パネルであって、互いに交差せずに各々蛇行して延在する複数の尾根部と、互いに隣り合う前記尾根部の間に、かつ前記尾根部よりも低い位置に形成され、互いに交差せずに前記尾根部の延在方向に延在する谷部と、前記尾根部から前記谷部に向かう斜面と、を有する。
【０００８】
この床パネルでは、互いに交差せずに各々蛇行して延在する複数の尾根部により、滑り止め効果が確保されている。また、尾根部から谷部に向かう斜面を有しているので、ユニットルーム使用時に床パネルに付着した水が谷部に集まる。谷部は、尾根部の延在方向に延在しているので、谷部に集まった水は該谷部に沿って流れて排水される。この谷部は互いに交差せずに、尾根部の延在方向に沿って延在しているので、尾根部から谷部に向かう斜面も該尾根部の該延在方向に連続している。このため、床パネルを清掃する際に、尾根部の延在方向に沿って清掃することで、水垢等が残り難くなる。
【０００９】
請求項２の発明は、請求項１に記載の床パネルにおいて、前記谷部が蛇行している。
【００１０】
この床パネルでは、谷部が蛇行しているので、谷部を流れる水の速度が適度に抑制される。谷部の水と、斜面の水滴が接触した状態で、谷部において適度な速度域の流れが存在すると、斜面の水滴が谷部に引き込まれるため、斜面に水滴が残り難くなる。このため、床パネルの乾燥性を向上させることができる。
【００１１】
請求項３の発明は、請求項１に記載の床パネルにおいて、前記谷部が直線状に形成されている。
【００１２】
この床パネルでは、谷部が直線状に形成されているので、清掃性が更に向上している。
【００１３】
請求項４の発明は、請求項１〜請求項３の何れか１項に記載の床パネルにおいて、前記谷部に沿って、溝が形成されている。
【００１４】
この床パネルでは、谷部に沿って形成された溝により、前述の乾燥性を向上させると共に、溝と斜面との境界に形成される角部により滑り止め効果を向上させることができる。
【００１５】
請求項５の発明は、請求項４に記載の床パネルにおいて、前記溝には、部分的に幅が狭められた絞り部が設けられている。
【００１６】
この床パネルでは、溝に、部分的に幅が狭められた絞り部が設けられているので、溝を流れる水の速度を適度に抑制することができる。特に、谷部が直線状である場合に水の速度を抑制することで、斜面に水滴が残り難くなるようにして、乾燥性を向上させることができる。
【００１７】
請求項６の発明は、請求項１〜請求項５の何れか１項に記載の床パネルにおいて、少なくとも１つの前記谷部が、前記ユニットルームの排水部まで延在している。
【００１８】
この床パネルでは、少なくとも１つの谷部が、ユニットルームの排水部まで延在しているので、床パネル上の水を排水部へ直接流すことができる。このため、排水性を向上させることができる。
【００１９】
請求項７の発明は、請求項１〜請求項６の何れか１項に記載の床パネルにおいて、前記ユニットルームの排水部まで延在する直線溝を有し、少なくとも１つの前記谷部が、前記直線溝まで延在している。
【００２０】
この床パネルでは、少なくとも１つの谷部が、ユニットルームの排水部まで延在する直線溝まで延在しているので、該谷部を流れる水は、直線溝を経由して排水部へ流れる。排水部まで直接至らない谷部からの排水性を向上させることができる。
【発明の効果】
【００２１】
本発明に係る床パネルによれば、排水性、乾燥性及び滑り止め効果を確保しつつ、床パネルの清掃性を向上させることができる、という優れた効果が得られる。
【図面の簡単な説明】
【００２２】
【図１】第１実施形態に係る床パネルを有するユニットルームを示す平面図である。
【図２】第１実施形態の変形例に係る床パネルを有するユニットルームを示す平面図である。
【図３】第１実施形態に係る床パネルを示す拡大斜視図である。
【図４】（Ａ）は、第１実施形態に係る床パネルを示す拡大平面図である。（Ｂ）は、図４（Ａ）における４Ｂ−４Ｂ矢視断面図である。（Ｃ）は、図４（Ａ）における４Ｃ−４Ｃ矢視断面である。（Ｄ）は、図４（Ａ）における４Ｄ−４Ｄ矢視断面である。
【図５】（Ａ）は、第２実施形態に係る床パネルを示す拡大平面図である。（Ｂ）は、図５（Ａ）における５Ｂ−５Ｂ矢視断面図である。（Ｃ）は、図５（Ａ）における５Ｃ−５Ｃ矢視断面である。（Ｄ）は、図５（Ａ）における５Ｄ−５Ｄ矢視断面である。
【図６】（Ａ）は、第３実施形態に係る床パネルを示す拡大平面図である。（Ｂ）は、図６（Ａ）における６Ｂ−６Ｂ矢視断面図である。
【図７】（Ａ）は、第４実施形態に係る床パネルを示す拡大平面図である。（Ｂ）は、図７（Ａ）における７Ｂ−７Ｂ矢視断面図である。
【図８】（Ａ）は、第５実施形態に係る床パネルを示す拡大平面図である。（Ｂ）は、図８（Ａ）における８Ｂ−８Ｂ矢視断面図である。
【図９】第６実施形態に係る床パネルを示す平面図である。
【図１０】図９におけるＦ１０の部位の詳細を示す拡大平面図である。
【図１１】図９におけるＦ１１の部位の詳細を示す拡大平面図である。
【図１２】図９におけるＦ１２の部位の詳細を示す拡大平面図である。
【発明を実施するための形態】
【００２３】
以下、本発明を実施するための形態を図面に基づき説明する。
【００２４】
［第１実施形態］
図１において、本実施形態に係る床パネル１０は、ユニットルーム１２の一部として組み込まれる床パネルであり、例えば洗い場１４の床を構成する部材である。ユニットルーム１２は、この洗い場１４と、浴槽１６と、洗い場１４及び浴槽１６を囲む壁部や天井部（図示せず）とを有している。洗い場１４には、排水部１８が設けられている。
【００２５】
図１に示される例では、排水部１８を含めると、床パネル１０が略長方形とされている。この床パネル１０は、１枚のパネルに３つの面１０Ａ，１０Ｂ，１０Ｃを有している。面１０Ａ，１０Ｂ，１０Ｃの上面は、排水部１８側が下側となるように、それぞれわずかに傾斜している。面１０Ａは、例えば平面視で等脚台形に形成され、上辺（図１では下側の辺）が排水部１８に面している。面１０Ｂ，１０Ｃは、互いに対称な台形に形成され、各々の上辺が排水部１８に面している。
【００２６】
床パネル１０の表面において、面１０Ａ，１０Ｂの境界、及び面１０Ａ，１０Ｃの境界には、それぞれ例えばユニットルーム１２の角部に位置する面１０Ａ，１０Ｃの角部から、ユニットルーム１２の排水部１８まで延在する直線溝２２が設けられている。この直線溝２２は、排水部１８側が下側となるようにわずかに傾斜している。
【００２７】
図２に示される例では、床パネル１０が、１枚のパネルに２つの面１０Ｄ，１０Ｅを有している。面１０Ｄ，１０Ｅは、互いに対称な形状に形成されている。この面１０Ｄ，１０Ｅは、例えば略長方形又は略正方形に形成されている。また、面１０Ｄ，１０Ｅの上面は、排水部１８側が下側となるように、それぞれわずかに傾斜している。面１０Ｄ，１０Ｅにおいて、排水部１８に面する部位には、切欠き２４が形成されている。
【００２８】
面１０Ｄ，１０Ｅの境界には、該面１０Ｄ，１０Ｅの外縁からユニットルーム１２の排水部１８まで延在する直線溝２２が設けられている。直線溝２２の詳細については、図１に示される直線溝２２と同様である。また、この床パネル１０には、ユニットルーム１２の角部に位置する床パネル１０の角部から排水部１８まで延在する、例えば直線状の稜線２３が設けられている。
【００２９】
図１から図３において、床パネル１０は、その上面に、複数の尾根部２６と、谷部２８と、斜面３２とを有している。
【００３０】
尾根部２６は、互いに交差せずに各々蛇行して延在している。換言すれば、尾根部２６は、その延在方向と直交する方向に振幅を有する周期的な波状に形成されている。図示の例では、尾根部２６の振幅が一定であるが、この振幅は場所によって変化していてもよい。
【００３１】
谷部２８は、互いに隣り合う尾根部２６の間に、かつ尾根部２６よりも低い位置に形成され、互いに交差せずに尾根部２６の延在方向に延在している。少なくとも１つの谷部２８は、排水部１８まで延在している。また、少なくとも１つの谷部２８が、直線溝２２まで延在している。この谷部２８は、排水部１８又は直線溝２２に向かうに従って、わずかに下方に傾斜している。
【００３２】
具体的には、図１において、複数の谷部２８の一部は排水部１８まで延在し、それ以外の谷部２８は直線溝２２まで延在している。直線溝２２は排水部１８まで延在しているので、床パネル１０上の水は、排水部１８へ直接的に流れるか、又は直線溝２２を介して排水部１８へ間接的に流れるようになっている。
【００３３】
図１に示される例では、面１０Ａにおける尾根部２６及び谷部２８の延在方向は、該面１０Ａの外縁と排水部１８とを結ぶ最短距離の方向と平行である。また、面１０Ｂ，１０Ｃにおける尾根部２６及び谷部２８の延在方向は、該面１０Ｂ，１０Ｃの外縁と排水部１８とをそれぞれ結ぶ最短距離の方向と平行である。面１０Ａにおける尾根部２６及び谷部２８の延在方向と、面１０Ｂ，１０Ｃにおける尾根部２６及び谷部２８の延在方向とは、互いに直交している。
【００３４】
一方、図２に示される例では、面１０Ｄ，１０Ｅにおける尾根部２６及び谷部２８の延在方向は、ユニットルーム１２の略対角方向と平行である。換言すれば、この延在方向は、ユニットルーム１２の角部に位置する床パネル１０の角部から排水部１８へ向かう方向と平行である。この例では、谷部２８の一部が、排水部１８と直線溝２２の何れにも至らずに、浴槽１６に接する辺３４に至っている。この辺３４まで流れて来た水を排水部１８へ流すためには、該辺３４又はその近傍に、排水部１８まで延在する溝等の導水路を設ければよい。
【００３５】
図１から図３、図４（Ａ）において、互いに同方向に延在し、かつ互いに隣り合う尾根部２６は、互いに同位相で蛇行している。一方、谷部２８は、隣り合う尾根部２６と逆位相で蛇行している。換言すれば、谷部２８は、尾根部２６の延在方向と直交する方向に振幅を有する波状に形成されている。図示の例では、谷部２８の振幅が一定であるが、この振幅は場所によって変化していてもよい。例えば、排水部１８に近づくにしたがって振幅が大きくなるか、又は小さくなると、水の残りをより抑制しやすくなる。
また、ユニットルーム１２の入り口付近（図示せず）とその他の部分を対比して、次の３つの何れかの構成があれば、床パネル１０を滑りにくくすることができ、ユニットルーム１２への出入り時の転倒を抑制できるようになる。
・谷部２８の振幅を大きくする。
・尾根部２６の振幅を大きくする。
・谷部２８と尾根部２６の間隔を狭くする。
【００３６】
図４（Ｂ）〜（Ｃ）において、斜面３２，３３は、尾根部２６から谷部２８に向かって形成されている。谷部２８は尾根部２６よりも低い位置にあるため、斜面３２，３３は尾根部２６から谷部２８に向かって下降する面となっている。尾根部２６と谷部２８との落差は、例えば一定である。尾根部２６と谷部２８とが逆位相で蛇行しているため、尾根部２６及び谷部２８の相対位置も周期的に変化している。これに伴い、斜面３２，３３の幅が周期的に変化し、水平方向に対する斜面３２，３３の傾斜角度も、周期的に変化している。
【００３７】
具体的には、図４（Ｂ）の断面位置では、斜面３２の両側に位置する尾根部２６と谷部２８とが互いに接近しているため、斜面３２の傾斜角度が大きくなる。これにより、滑り止め効果が向上するようになっている。一方、この断面位置においては、斜面３３の両側に位置する尾根部２６と谷部２８とが比較的離れているため、斜面３３の傾斜角度が小さくなる。
【００３８】
図４（Ｃ）の断面位置では、斜面３２，３３の両側に位置する尾根部２６と谷部２８との間隔が、斜面３３の両側に位置する尾根部２６と谷部２８との間隔と同等であるため、斜面３２，３３の傾斜角度も同等となる。
【００３９】
図４（Ｄ）の断面位置では、図４（Ｂ）の断面位置とは逆に、斜面３３の両側に位置する尾根部２６と谷部２８とが互いに接近しているため、斜面３３の傾斜角度が大きくなる。一方、斜面３２の両側に位置する尾根部２６と谷部２８とが比較的離れているため、斜面３２の傾斜角度が小さくなる。
【００４０】
なお、斜面３２，３３の断面形状は直線に限られず、曲線であってもよく、また直線と曲線の組合せであってもよい。曲線については、床パネル１０の上方に凸であってもよく、下方に凸であってもよい。上方に凸の曲線の場合には斜面３２，３３が凸面となり、下方に凸の曲線の場合には斜面３２，３３が凹面となる。
【００４１】
なお、図４（Ｂ）〜（Ｃ）では、尾根部２６及び谷部２８の断面形状が角張った形状となっているが、尾根部２６及び谷部２８の断面形状はこれに限られず、それぞれ丸められていてもよい。
【００４２】
（作用）
本実施形態は、上記のように構成されており、以下その作用について説明する。図１〜図３において、本実施形態に係る床パネル１０では、互いに交差せずに各々蛇行して延在する複数の尾根部２６により、滑り止め効果が確保されている。また、尾根部２６から谷部２８に向かう斜面３２，３３を有しているので、ユニットルーム１２使用時に床パネル１０に付着した水（図示せず）が谷部２８に集まる（図３の矢印Ａ方向参照）。谷部２８は、尾根部２６の延在方向に延在しているので、谷部２８に集まった水は該谷部２８に沿って流れ（図３の矢印Ｂ方向参照）、排水部１８（図１，図２）へ流れて排水される。
【００４３】
図１，図２において、少なくとも１つの谷部２８が、ユニットルーム１２の排水部１８まで延在しているので、床パネル１０上の水を排水部１８へ直接流すことができる。このため、排水性を向上させることができる。
【００４４】
また、図１，図２において、少なくとも１つの谷部２８が、ユニットルーム１２の排水部１８まで延在する直線溝２２まで延在しているので、該谷部２８を流れる水は、直線溝２２を経由して排水部１８へ流れる。このため、排水部１８まで直接至らない谷部２８からの排水性を向上させることができる。
【００４５】
本実施形態では、谷部２８が蛇行しているので、谷部２８を流れる水の速度が適度に抑制される。谷部２８の水と、斜面３２，３３の水滴（図示せず）が接触した状態で、谷部２８において適度な速度域の流れが存在すると、斜面３２，３３の水滴が谷部２８に引き込まれるため、斜面３２，３３に水滴が残り難くなる。つまり、本実施形態によれば、斜面３２，３３に水滴が取り残されないように、水の速度を最適化することができる。このため、床パネル１０の乾燥性を向上させることができる。
【００４６】
また、本実施形態では、谷部２８は互いに交差せずに、尾根部２６の延在方向に沿って延在しているので、尾根部２６から谷部２８に向かう斜面３２，３３も該尾根部２６の該延在方向に連続している。このため、床パネル１０を清掃する際に、尾根部２６の延在方向に沿って清掃することで、水垢等が残り難くなる。
【００４７】
このように、本実施形態によれば、排水性、乾燥性及び滑り止め効果を確保しつつ、床パネル１０の清掃性を向上させることができる。
【００４８】
［第２実施形態］
図５（Ａ）から図５（Ｄ）において、本実施形態に係る床パネル２０では、谷部２８に沿って、溝３８が形成されている。谷部２８が蛇行しているので、溝３８も蛇行している。溝３８の幅や深さは、斜面３２，３３に水滴が取り残されないように、谷部２８に沿った水の流れの速度を考慮して適宜設定される。その際、溝３８の幅や深さが場所によって異なっていてもよい。溝３８の断面は、矩形に限られず、Ｖ字状や弧状であってもよい。
【００４９】
この床パネル２０では、谷部２８に沿って形成された溝３８により、乾燥性を向上させると共に、溝３８と斜面３２，３３との境界に形成される角部により滑り止め効果を向上させることができる。
【００５０】
他の部分については、第１実施形態と同様であるので、同一の部分には図面に同一の符号を付し、説明を省略する。
【００５１】
［第３実施形態］
図６（Ａ），図６（Ｂ）において、本実施形態に係る床パネル３０では、互いに隣り合う尾根部２６が互いに逆位相で蛇行している。これに伴い、床パネル３０には、隣り合う尾根部２６同士が接近する領域と離れる領域とが周期的に形成されている。隣り合う尾根部２６の間には、谷部２８が直線状に形成されている。更に、谷部２８には、直線状の溝３８が形成されている。
【００５２】
谷部２８を挟む斜面３２，３３は、断面Ｖ字状に形成されている。水平方向に対する斜面３２，３３の傾斜角度は、周期的変化している。具体的には、尾根部２６と谷部２８との落差が一定の場合、隣り合う尾根部２６が接近している領域では、水平方向に対する斜面３２，３３の傾斜角度がそれぞれ大きくなる。一方、隣り合う尾根部２６が離れている領域では、水平方向に対する斜面３２，３３の傾斜角度がそれぞれ小さくなる。
【００５３】
谷部２８を挟む斜面３２，３３のＶ字の開き角度でいえば、隣り合う尾根部２６が接近している領域では開き角度が小さくなり、離れた領域では開き角度が大きくなる。
【００５４】
この床パネル３０では、谷部２８が直線状に形成されているので、清掃の際に、谷部２８の方向に沿って清掃することで、水垢等がより一層残り難くなる。したがって、清掃性が更に向上している。
【００５５】
谷部２８の溝３８が直線状であると、谷部２８が蛇行している場合と比較して、該谷部を流れる水の速度が速くなる可能性があるが、隣り合う尾根部２６が接近している領域では、該尾根部２６の成形時に溝３８の幅が狭くなり易い。これにより、谷部２８を流れる水の速度が適度に抑制されるので、斜面３２，３３に水滴が取り残され難く、乾燥性も良好である。
【００５６】
他の部分については、第１実施形態又は第２実施形態と同様であるので、同一の部分には図面に同一の符号を付し、説明を省略する。
【００５７】
なお、本実施形態において、溝３８が省略されていてもよい。
【００５８】
［第４実施形態］
図７において、本実施形態に係る床パネル４０では、隣り合う尾根部２６が互いに同位相で蛇行し、谷部２８が、隣り合う尾根部２６と同位相で蛇行している。尾根部２６及び谷部２８は、例えば正弦波状に蛇行している。これに伴い、斜面３２，３３も略一定幅で蛇行している。
【００５９】
他の部分については、第１実施形態と同様であるので、同一の部分には図面に同一の符号を付し、説明を省略する。
【００６０】
なお、本実施形態において、谷部２８に、第３実施形態に記載の溝３８が形成されていてもよい。
【００６１】
［第５実施形態］
図８において、本実施形態に係る床パネル５０では、隣り合う尾根部２６が互いに同位相で蛇行している。隣り合う尾根部２６の間には、谷部２８が直線状に形成されている。谷部２８には、直線状の溝３８が形成されている。各々の溝３８には、部分的に幅が狭められた絞り部３６が、例えば複数箇所設けられている。
【００６２】
この床パネル５０では、溝３８に、部分的に幅が狭められた絞り部３６が設けられているので、溝３８を流れる水の速度を適度に抑制することができる。特に、谷部２８が直線状である場合に水の速度を抑制することで、斜面３２，３３に水滴が残り難くなるようにして、乾燥性を向上させることができる。
【００６３】
他の部分については、第１実施形態、第２実施形態、第３実施形態又は第４実施形態と同様であるので、同一の部分には図面に同一の符号を付し、説明を省略する。
【００６４】
［第６実施形態］
図９において、本実施形態に係る床パネル６０は、１枚のパネルに８つの面６０Ａ〜６０Ｈを有している。面６０Ａと面６０Ｅ、面６０Ｂと面６０Ｆ、面６０Ｃと面６０Ｇ、面６０Ｄと面６０Ｈは、直線溝２２を中心としてそれぞれ互いに対称な形状に形成されている。また、面６０Ａ〜６０Ｃ、６０Ｅ〜６０Ｇは、例えば略長方形又は略正方形に形成されている。面６０Ａ〜６０Ｈの上面は、排水部１８側が下側となるように、それぞれわずかに傾斜している。面６０Ｄ，６０Ｈにおいて、排水部１８に面する部位には、切欠き２４が形成されている。
【００６５】
ここで、図９において、床パネル６０の左半分（面６０Ａ，６０Ｂ，６０Ｃ，６０Ｄを合わせた領域）の対角方向に延びる直線（面６０Ａの左上角部と、面６０Ｄの切欠き２４の隅部とを結ぶ直線）をＬ１とする。また、床パネル６０の右半分（面６０Ｅ，６０Ｆ，６０Ｇ，６０Ｈを合わせた領域の対角方向に延びる直線（面６０Ｅの右上角部と、面６０Ｈの切欠き２４の隅部とを結ぶ直線）をＬ２とする。床パネル６０を線Ｌ１，Ｌ２により３つの領域６０Ｌ，６０Ｒ，６０Ｕに区分すると、領域６０Ｌの上面は矢印Ｓ２方向に下るようにわずかに傾斜している。同様に、領域６０Ｒの上面は図９の矢印Ｓ２方向に下るようにわずかに傾斜し、領域６０Ｕの上面は図９の矢印Ｓ３方向に下るようにわずかに傾斜している。換言すれば、領域６０Ｌ，６０Ｒ，６０Ｕの上面は、排水部１８側が下側となるように、それぞれわずかに傾斜している。
【００６６】
面６０Ｂ，６０Ｄと面６０Ｆ，６０Ｈとの境界には、面６０Ｂ，６０Ｆの外縁から排水部１８まで延在する直線溝２２が設けられている。また、面６０Ａ，６０Ｃと面６０Ｂ，６０Ｄとの境界には、面６０Ａ，６０Ｂの外縁から面６０Ｃ，６０Ｄの辺３４に至る直線溝６２が設けられている。更に、面６０Ｅ，６０Ｇと面６０Ｆ，６０Ｈとの境界には、面６０Ｅ，６０Ｆの外縁から面６０Ｇ，６０Ｈの辺３４に至る直線溝６４が設けられている。なお、辺３４は、浴槽１６（図１，図２参照）との境界の部位である。直線溝２２，６２，６４は、例えば互いに平行に配置されている。
【００６７】
面６０Ａ，６０Ｂと面６０Ｃ，６０Ｄとの境界には、面６０Ａ，６０Ｃの外縁から直線溝２２まで延在する直線溝６６が設けられている。また、面６０Ｅ，６０Ｆと面６０Ｇ，６０Ｈとの境界には、面６０Ｅ，６０Ｇの外縁から中央の直線溝２２まで延在する直線溝６８が設けられている。
【００６８】
面６０Ａ〜６０Ｈには、例えば第３実施形態と同様の尾根部２６及び谷部２８（溝３８）がそれぞれ設けられている（図１０〜図１２）。図１０は、図９におけるＦ１０の部位の詳細を示す拡大平面図である。図１１は、図９におけるＦ１１の部位の詳細を示す拡大平面図である。そして、図１２は、図９におけるＦ１２の部位の詳細を示す拡大平面図である。
【００６９】
面６０Ａ〜６０Ｈにおける尾根部２６及び谷部２８（溝３８）の延在方向は、ユニットルーム１２（図１）の角部に位置する床パネル６０の角部から排水部１８へ向かう方向と平行である。面６０Ａでは、谷部２８は、直線溝６２又は直線溝６６に至っている。面６０Ｂでは、谷部２８は、中央の直線溝２２、又は直線溝６６に至っている。面６０Ｅでは、谷部２８は、直線溝６４又は直線溝６８に至っている。面６０Ｆでは、谷部２８は、中央の直線溝２２、又は直線溝６８に至っている。
【００７０】
面６０Ｃでは、谷部２８は、直線溝６２又は辺３４に至っている。面６０Ｄでは、谷部２８は、中央の直線溝２２、排水部１８、又は辺３４に至っている。面６０Ｇでは、谷部２８は、直線溝６４又は辺３４に至っている。そして面６０Ｈでは、谷部２８は、中央の直線溝２２、排水部１８、又は辺３４に至っている。
【００７１】
床パネル６０における尾根部２６及び谷部２８（溝３８）の配置は、直線溝２２を中心として左右対称となっている。また、谷部２８（溝３８）での排水方向は、直線溝２２，６４，６６，６８での排水方向に対してそれぞれ鋭角に交わっており、最終的に排水部１８に向かうという点で、各々の排水方向は一致している。
【００７２】
（作用）
図１０〜図１２において、本実施形態に係る床パネル６０では、床パネル６０に付着した水が谷部２８（溝３８）に集まり（図３参照）、該谷部２８に沿って矢印Ｂ方向に流れ、直線溝２２，６４，６６，６８や辺３４を経由し、又は直接的に排水部１８へ流れる。
【００７３】
ここで、３箇所の水の流れについて例示する。図１０に示される部分では、面６０Ｅにおいて谷部２８（溝３８）に沿って流れる水が、直線溝６４に合流して、矢印Ｃ方向に流れる。なお、直線溝６４を流れる水の一部が、面６０Ｅに隣り合う面６０Ｆの谷部２８（溝３８）に沿って、矢印Ｂ方向に流れてもよい。図１１に示される部分では、面６０Ｂ，６０Ｆにおいて谷部２８（溝３８）に沿って流れる水が、中央の直線溝２２に合流して、矢印Ｃ方向に流れる。そして、図１２に示される部位では、面６０Ａにおいて谷部２８（溝３８）に沿って流れる水が、直線溝６６に合流して、矢印Ｄ方向に流れる。なお、直線溝６６を流れる水の一部が、面６０Ａに隣り合う面６０Ｃの谷部２８（溝３８）に沿って、矢印Ｂ方向に流れてもよい。
【００７４】
本実施形態では、床パネル６０における尾根部２６及び谷部２８（溝３８）の配置は、直線溝２２を中心として左右対称となっている。また、谷部２８（溝３８）での排水方向は、直線溝２２，６４，６６，６８での排水方向に対してそれぞれ鋭角に交わっており、最終的に排水部１８に向かうという点で、各々の排水方向は一致している。したがって、谷部２８（溝３８）を流れる水が直線溝２２，６４，６６，６８に集まり、排水部１８に向けてスムーズに流れやすくなる。
【００７５】
［他の実施形態］
以上、本発明の実施形態の一例について説明したが、本発明の実施形態は、上記に限定されるものでなく、上記以外にも、その主旨を逸脱しない範囲内において種々変形して実施可能であることは勿論である。
【００７６】
床パネル１０における３枚の面１０Ａ，１０Ｂ，１０Ｃ（図１）や２枚の面１０Ｄ，１０Ｅ（図２）を１枚のパネルで構成せず、各々独立したパネル（図示せず）で構成してもよい。この場合、直線溝２２は、例えば、互いに突き合わされるパネルの角部をそれぞれ面取りしておくことで形成することができる。面取りが、角部を直線状にカットした所謂Ｃ面取りであれば、設置状態で断面Ｖ字状の直線溝２２が形成される。
図２において、床パネル１０を、各々独立した２つのパネルで構成する場合には、排水部１８が長方形であるので、切欠き２４は該長方形を２分割した矩形となる。
【００７７】
谷部２８に溝３８を形成する場合、該溝３８をすべての谷部２８に形成してもよく、また一部の谷部２８に形成してもよい。また、ある谷部２８において、その延在方向の一部に溝３８を形成してもよい。例えば、排水部１８や直線溝２２（図１，図２）から遠い部分に溝３８を配置し、排水部１８や直線溝２２に近い部分に溝３８を配置しない構成としてもよい。また、溝３８を断続的に配置する構成としてもよい。
【００７８】
第１実施形態において、少なくとも１つの谷部２８が、ユニットルーム１２の排水部１８まで延在しているものとしたが、谷部２８が排水部１８まで延在しない構成としてもよい。また、少なくとも１つの谷部２８が、排水部１８まで延在する直線溝２２まで延在しているものとしたが、谷部２８が直線溝２２まで延在しない構成としてもよく、直線溝２２を有しない構成としてもよい。
【００７９】
上記実施形態は、適宜組み合わせて用いることが可能である。
【符号の説明】
【００８０】
１０…床パネル、１２…ユニットルーム、１８…排水部、２０…床パネル、２２…直線溝、２６…尾根部、２８…谷部、３０…床パネル、３２…斜面、３３…斜面、３６…絞り部、３８…溝、４０…床パネル、５０…床パネル、６０…床パネル
【図１】
2017166306.tif 000003
【図２】
2017166306.tif 000004
【図３】
2017166306.tif 000005
【図４】
2017166306.tif 000006
【図５】
2017166306.tif 000007
【図６】
2017166306.tif 000008
【図７】
2017166306.tif 000009
【図８】
2017166306.tif 000010
【図９】
2017166306.tif 000011
【図１０】
2017166306.tif 000012
【図１１】
2017166306.tif 000013
【図１２】
2017166306.tif 000014